(57)【要約】【課題】アナログソースの録音中に、音源(ソース)の切替えを行なっても、同一ファイル内に複数のソースが混在して記録することを自動的に回避することができ、操作性と遣い勝手がよい情報記録装置を提供する。【解決手段】複数の情報源と、前記情報源のうち所定の情報源を選択して予め決められたルートごとに出力する選択手段と、選択された情報源からの情報を記録する記録手段に加えて、前記選択手段による選択情報源の変更を検出する手段と、前記情報記録手段の記録動作中に前記選択情報源の変更が検出された場合に前記情報記録手段の記録動作を停止する記録制御手段とを備えている。【選択図】図１
2006277826.tif 000002
【特許請求の範囲】
【請求項１】
複数の情報源と、前記情報源のうち所定の情報源を選択して予め決められたルートごとに出力する選択手段と、選択された情報源からの情報を記録する記録手段と、前記選択手段による選択情報源の変更を検出する手段と、前記情報記録手段の記録動作中に前記選択情報源の変更が検出された場合に前記情報記録手段の記録動作を停止する記録制御手段とを備えたことを特徴とする情報記録装置。
【請求項２】
前記情報記録手段は、前記信号の記録開始から記録終了までの情報を単一のファイルデータとして記録することを特徴とする請求項１に記載の情報記録装置。
【請求項３】
前記情報記録手段は、情報の記録時に選択された情報源に対応付けて各情報を記録することを特徴とする請求項１ないし請求項２に記載の情報記録装置。
【発明の詳細な説明】
【技術分野】
【０００１】
本発明は情報記録装置、とりわけ車載用オーディオシステムに好適な情報記録装置に関する。
【背景技術】
【０００２】
自動車などに搭載される音響システムとして、カセットテープやＣＤ(コンパクトディスク)などに記録された情報信号を再生するカーオーディオシステムが知られている。
また、近年のオーディオ技術の進歩により、記録された信号を再生するのみならず、先行技術のように、記録機能をも備えたカーオーディオシステムが登場し、そのシステムを使用して、ユーザーは、記録・再生を楽しんでいる。
【０００３】
ところで、上記のような記録・再生可能なカーオーディオシステムは、音源(ソース)がＣＤのようなデジタル音源であれば、記録の開始点、終了点が明確なため、自動記録停止が可能である。
しかし、それ以外の音源、たとえばカセットテープ、ＴＶ，ラジオなどのアナログソースの場合は、記録の開始点、終了点が不明確なため、記録の自動停止をするには、別途記録開始から一定時間で記録を終了するような方法で記録を停止させなければければならず、この操作はユーザーにとって煩わしかった。
【０００４】
また、アナログソースを記録中に、当該入力ソースからユーザーが興味を抱いた他のソースへ音源を切替えた場合、その切替えは音源の変更のみであるため、アナログソースの記録は、設定時間が終了するまで継続してしまう。この結果、２つの異なるソース（アナログとアナログ、アナログとデジタル）の記録が１つのファイル（トラック）に混在して記録されてしまうという問題があった。
この混在を回避するには、手動操作をして記録を中断する煩雑な操作を必要としていた。
【特許文献１】特開２００１−２９１３６５号公報
【発明の開示】
【発明が解決しようとする課題】
【０００５】
本発明は前記のような問題点を解消するためになされたもので、その目的とするところは、アナログソースの録音中に、音源(ソース)の切替えを行なっても、同一ファイル内に複数のソースが混在して記録することを自動的に回避することができ、操作性と遣い勝手がよい情報記録装置を提供することにある。
【課題を解決するための手段】
【０００６】
上記目的を達成するため本発明は、複数の情報源と、前記情報源のうち所定の情報源を選択して予め決められたルートごとに出力する選択手段と、選択された情報源からの情報を記録する記録手段と、前記選択手段による選択情報源の変更を検出する手段と、前記情報記録手段の記録動作中に前記選択情報源の変更が検出された場合に前記情報記録手段の記録動作を停止する記録制御手段とを備えたことを特徴とする。
【発明の効果】
【０００７】
本発明によれば、情報源としての音源などの録音中に、ソースの切替を行なうとそれに同期して自動的にファイルがクローズされるので、同一ファイル内に、複数のソースが混在して記録されることが回避され、各ソースごとに整理された情報を記録しそれを再生することできる。
【発明を実施するための最良の形態】
【０００８】
好適には、情報記録手段は、情報の記録開始から記録終了までの信号を単一のファイルデータとして記録する構成を備えている。
これによれば、記録の完了したファイルをソース別に自動振り分けし、再生したいファイルを容易に探させることが可能となる。
【０００９】
また、情報記録手段は、情報の記録時に選択された情報源に対応付けて各情報を記録する構成となっていることが好ましい。
これによれば、自動記録停止後、ユーザーが選択した別のソースの自動記録も可能となる。
【実施例１】
【００１０】
以下、図面に基づいて、本発明の実施例を説明する。
図１は本発明を適用したハードディスク録音機能を備えた車載用オーディオシステムの概略構成を示すブロック図である。
車載用オーディオシステム１は、複数の音源を有する音源装置１０４と、音源選択手段１０３ａ、１０３ｂと、音声圧縮・伸張部１０１と、記録装置１０７と、バス変換部１０６と、Ｄ／Ａ変換器１０９と、スピーカ１１０と、様々な操作を入力する操作パネル１０８と、これら車載用オーディオシステム全体を制御する制御装置（ＣＰＵ）１００により構成されている。
【００１１】
前記音源装置１０４は、ラジオ１０４ａ、ＴＶ１０４ｂ、カセットテープ１０４ｃ、ＴＥＬ１０４ｄなどのアナログ音源と、ＣＤ１０４ｅなどのデジタル音源などからなっている。
音源選択手段１０３ａ、１０３ｂは、音源装置のソースごとに、決められたソースセレクタへ切替え、切替え完了後、音声圧縮・伸張部１０１へ信号を送るものである。
選択された音源装置がＣＤなどのデジタルソースの場合は第２ソースセレクタ１０３ａへ出力されるようになっている。
また、選択された音源装置がラジオなどのアナログソースの場合は第１ソースセレクタ１０３ｂへ接続後、アナログ信号をデジタル信号へ変換するＡ／Ｄ変換部１０２を経て、前記第２ソースセレクタ１０３ａへ出力されるようになっている。
【００１２】
音声圧縮・伸張部１０１は、第２ソースセレクタ１０３ａから出力されたデジタル信号を、圧縮処理を施して圧縮音声信号を生成する音声圧縮処理部１０１ｂと、圧縮音声信号に伸張処理を施して元のデジタル信号へ復元する圧縮音声データ処理部１０１ａを有しており、具体的にはＤＳＰ(Digital Signal Processor)が用いられる。
なお、前記音声圧縮処理部１０１ｂから出力される圧縮音声信号は、一時的にＤＳＰ用ワークＲＡＭ１１１に蓄積されるようにしてもよい。
【００１３】
記録装置１０７は楽曲データなどを記録するための格納手段であり、通常、ハードディスクドライブであり、記録対象となるデータに対応する圧縮音声信号は、前記圧縮音声データ処理部１０１ａからハードディスクなどの記録装置１０７に転送され、楽曲ファイルとして所定の記録領域に格納される。
なお、ハードディスクの格納などをスムーズとするために、一時記憶用のＲＡＭ１０５やバス変換部１０６を備えてもよい。
【００１４】
制御装置１００は、図１に示す車載用オーディオ装置の動作を総括的に制御するためのものである。
この制御装置(ＣＰＵ)１００は、上記の各構成要素と接続され、データや制御信号を送受信することによりシステム全体の制御を行う回路やプログラムを備えているが、本発明においてはさらに、操作パネル１０８により音源が変更された場合に切り替え制御信号ＳＥＬ１及びＳＥＬ２により音源選択手段１０３ａ、１０３ｂから出力される選択音源信号の切り替え制御を行う選択情報変更制御部１００ａと、記録装置１０７の記録動作中に前記選択音源信号の変更が検出された場合に前記記録装置１０７の記録動作を停止する記録制御部１００ｂを有している。
それら選択情報変更制御部１００aと記録制御部１００ｂは、ソフトプログラムの形態で設けられるか、あるいはセグメントとして外付けされる。記録制御部１００ｂは前記ＲＡＭ１０５を介してあるいは介さないで記録装置１０７のオンオフ制御系と接続されている。
制御装置１００に対する外部からの操作指令は、操作パネル１０８を操作するユーザーにより行われ、また制御装置１００により実行される処理に関する情報は図示しない表示部に表示されようになっている。
なお、この制御装置１００に、ナビゲーションシステムをも格納したシステムとすれば、ナビゲーションの処理をも同時に行うこともできる。
【００１５】
上記のように構成される本実施形態は次のように作用する。
音源装置１０４に記録された音情報をハードディスクドライブ１０７に記録する場合は、操作パネル１０８の図示しない録音ボタンを操作すると、その記録ボタンのコマンドが制御装置１００へ伝わり、制御装置１００は音源切替指示を第２ソースセレクター１０３ａ及び第１ソースセレクター１０３ｂに対して行い、切替動作完了後、音声圧縮・伸張部 (ＤＳＰ部)１０１の音声圧縮処理部１０１ｂに対して、ソースセレクタにより選択されたｄ１のデジタル信号を圧縮処理するよう指示する。
このとき、音声圧縮・伸張部１０１は必要に応じ、専用のワークＲＡＭ１１１を使用して、圧縮処理を行う。圧縮されたデータｄ４は、ある一定のブロック単位でハードディスクに書き込むため、ワークＲＡＭ１０５に一時的に格納し、その後、バス変換部１０６を通じ、ハードディスクに格納するための書き込みを行う
【００１６】
。
ハードディスクに格納された圧縮データを再生する場合は、先ほどの経路を音声圧縮・伸張部１０１までさかのぼり、データはバス変換部１０６、ワークＲＡＭ１０５を経由し、音声圧縮・伸張部１０１の音声圧縮処理部１０１ａにて伸張(還元)処理が行われる。
その後、未圧縮のデータはＤ／Ａ変換部１０９でアナログ信号に変換され、スピーカ部１１０を通じて音として再生される。
【００１７】
前記ハードディスクドライブ１０７上でのデータは、ファイルという単位で管理され、データを書き込む前に、書き込み対象となるファイルをオープンし、データを記録した後クローズ処理を行うことで、ファイルと言う単位に区切られる。
このとき、ファイルのオープンは、記録を開始する前に行い、クローズは手動、或いは時間などの一定条件を満たしたときに自動的に行うのが一般的である。
【００１８】
ところで、音楽を記録する場合、ＣＤ（コンパクトディスク）１０４ａのようなデジタルソースの場合には、ソースごとの区切りが明確についているため、この区切りを条件としてファイルをクローズすることで、１曲１ファイルとして自動的にファイルを作成するとこが可能である。  これに対して、ラジオのようなアナログソースの場合は区切りが存在しないため、手動または一定時間でのクローズ処理でファイルを作成することとなる。しかし、クローズ処理を行う前に、ソースセレクタ１０３ｂを動かしソースを切替えてしまうと、途中から別のソースを同一のファイルに書き込んでしまうことになる。これを回避するために手動で切り替えることは、操作の煩雑さを招く。
【００１９】
然るに、本発明においては、制御装置１００が、選択手段による選択情報源の変更を制御する選択情報変更制御部１００ａと、前記情報記録手段の記録動作中に前記選択情報源の変更が検出された場合に前記情報記録手段の記録動作を停止する記録制御部１００ｂを有している。このため、自動的にファイルをクローズして録音を停止することができる。
図２は、情報記録中に別のソースへ切り替える場合の前記情報源の変更を制御する手段と記録制御手段による動作フローチャートであり、操作パネル１０８を操作してユーザーがたとえばラジオ１０４ａの録音中に、ソースをＴＶ１０４ｂへ切替えたときには、その切替え信号が操作パネル１０８からＣＰＵ１００を経由して第１ソースセレクタ１０３ｂへ伝わる。
ここで、記録装置１０７が「記録中」の状態になっていない場合は、即座に選択情報変更制御部１００ａからソースセレクタ１及びソースセレクタ２に対して、ラジオ(アナログ)からＴＶ(アナログ)への切替え指示を出力する。
【００２０】
これに対し、ユーザーがラジオからＴＶまたはＣＤへの切替え操作を行ったとき、記録装置１０７が「記録中」の状態になっている場合は、図示しない表示部に対して記録を終了するかどうかのメッセージを表示し、ユーザーに換気する。ユーザーが「終了する」を選択した場合には、記録制御部１００ｂが作動して記録中のファイルを強制的にクローズする。
これにより、複数のソースが同一ファイルに混在することを回避できる。
更に応用例として、ソース別のファイルフォルダーを用意し、録音完了したファイルを自動的に該当ソースのフォルダーへコピーすれば、後からのファイル選択を容易にすることが可能である。
【図面の簡単な説明】
【００２１】
【図１】車載用オーディオシステムの概略構成を示すブロック図である。
【図２】録音中に別のソースへ切り替える場合のフローチャートである。
【符号の説明】
【００２２】
１００  制御装置
１００ａ  選択情報変更制御部
１００ｂ  記録制御部
１０１  音声圧縮・伸張部
１０３ａ、１０３ｂ  音源選択手段
１０４  音源装置
【図１】
2006277826.tif 000003
【図２】
2006277826.tif 000004